(57)【要約】【課題】時刻等の情報を表示する表示装置、およびこの表示装置を具備した電子機器を、より小型化・薄型化できるようにする。【解決手段】腕時計１を構成する表示ユニット２は、表示保存性を有する表示パネルを備え、この表示パネルの表示を、外部からの無線給電を受けることにより更新する。【選択図】図２
2007256063.tif 000002
【特許請求の範囲】
【請求項１】
表示保存性を有する表示パネルと、
外部からの無線給電を受ける受電手段と、
前記受電手段により受電した電力により動作し、前記表示パネルの表示を更新する表示制御手段と、
を備えたことを特徴とする表示装置。
【請求項２】
前記受電手段は、外部磁界により誘導電流が誘起されるアンテナを具備すること、を特徴とする請求項１記載の表示装置。
【請求項３】
前記表示パネルは電気泳動表示パネルであること、を特徴とする請求項１または２記載の表示装置。
【請求項４】
環状の本体を備え、この本体内に、前記受電手段および前記表示制御手段を収容し、かつ、前記表示パネルは前記環状の本体の周面に配設されたこと、を特徴とする請求項１から３のいずれかに記載の表示装置。
【請求項５】
表示装置と、この表示装置における表示を制御するための制御装置とを具備した電子機器において、
前記表示装置と前記制御装置とは別体に構成され、
前記制御装置は、
無線給電を行う給電手段と、
画像データを無線送信する送信手段と、を備え、
前記表示装置は、
表示保存性を有する表示パネルと、
前記制御装置からの無線給電を受ける受電手段と、
前記制御装置から送信される画像データを受信する受信手段と、
前記受電手段により受電した電力により動作し、前記受信手段により受信した画像データに基づいて前記表示パネルの表示を更新する表示制御手段と、を備えたこと、
を特徴とする電子機器。
【請求項６】
前記制御装置は、所定時間毎に、前記給電手段による無線給電と前記送信手段による画像データの送信とを行うこと、を特徴とする請求項５記載の電子機器。
【請求項７】
前記制御装置は一の送信用アンテナを備え、前記送信手段と前記給電手段とは前記送信用アンテナを介して所定周波数の無線電波を送信することで画像データを送信するとともに無線給電を行い、
前記表示装置は一の受信用アンテナを備え、前記受電手段は前記制御装置から送信された無線電波が生じる磁界により前記受信用アンテナに流れる誘導電流から受電し、前記受信手段は、前記受信用アンテナにより無線電波を受信して画像データを取得するものであること、
を特徴とする請求項５または６記載の電子機器。
【請求項８】
前記表示装置および前記制御装置は環状の本体を備えたこと、を特徴とする請求項５から７のいずれかに記載の表示装置。
【請求項９】
前記制御装置は、時刻を計時する計時手段と、この計時手段により計時される時刻を表示するための画像データを生成する画像生成手段とを備え、前記送信手段は、前記画像生成手段によって生成された画像データを送信すること、を特徴とする請求項５から８のいずれかに記載の電子機器。
【請求項１０】
前記制御装置が有する画像生成手段は、前記計時手段により計時される時刻の分が切り替わった場合に、切り替わり後の時および分を表示するための画像データを生成すること、を特徴とする請求項９記載の電子機器。
【発明の詳細な説明】
【技術分野】
【０００１】
本発明は、表示装置、および、表示装置を備えた電子機器に関する。
【背景技術】
【０００２】
従来、腕時計等の表示部を備えた電子機器においては、デザインの自由度の向上等を目的として、小型化・薄型化を達成するための様々な工夫がなされてきた（例えば、特許文献１参照）。
【特許文献１】特開平６−６６９６９号公報
【発明の開示】
【発明が解決しようとする課題】
【０００３】
しかしながら、表示部を用いて時刻等の情報を表示するためには、表示部を駆動し、かつ表示状態を保つための動作機構や駆動回路、およびこれらを動作させるための電源など、多くの部品が必須であり、これら全ての部品を収容した上で、さらなる小型化・薄型化を達成することは非常に困難である。
本発明は、上述した事情に鑑みてなされたものであり、時刻等の情報を表示する表示装置、およびこの表示装置を具備した電子機器を、より小型化・薄型化できるようにすることを目的とする。
【課題を解決するための手段】
【０００４】
上記課題を解決するため、本発明は、表示保存性を有する表示パネルと、外部からの無線給電を受ける受電手段と、前記受電手段により受電した電力により動作し、前記表示パネルの表示を更新する表示制御手段と、を備えたことを特徴とする表示装置を提供する。
この表示装置は、外部からの無線給電を受けて表示パネルの表示を更新するので、電源を備える必要がない。また、表示パネルは表示保存性を有することから、無線給電を受けた場合にのみ表示を更新する構成としても容易に表示状態を維持できるので、電源を内蔵しなくても高品質の表示を行うことができる。このため、さらなる小型化・薄型化が可能な表示装置を提供できる。
【０００５】
上記構成において、前記受電手段は、外部磁界により誘導電流が誘起されるアンテナを具備するものとしてもよい。この場合、例えばループアンテナ等のアンテナを具備する受電手段を用いることで、より一層の小型化や薄型化が可能となる。
また、前記表示パネルは電気泳動表示パネルとしてもよい。この場合、低い消費電力で長時間にわたって表示を維持できるので、無線給電を受けて表示を更新する頻度が低くても表示が消失せず、高品質の表示状態を維持できる。
また、環状の本体を備え、この本体内に、前記受電手段および前記表示制御手段を収容し、かつ、前記表示パネルが前記環状の本体の周面に配設された構成としてもよい。この場合、環状の本体の周面に表示パネルを配設することにより、小型化・薄型化された本体において十分な表示領域を確保できる。
【０００６】
また、本発明は、表示装置と、この表示装置における表示を制御するための制御装置とを具備した電子機器において、前記表示装置と前記制御装置とは別体に構成され、前記制御装置は、無線給電を行う給電手段と、画像データを無線送信する送信手段と、を備え、前記表示装置は、表示保存性を有する表示パネルと、前記制御装置からの無線給電を受ける受電手段と、前記制御装置から送信される画像データを受信する受信手段と、前記受電手段により受電した電力により動作し、前記受信手段により受信した画像データに基づいて前記表示パネルの表示を更新する表示制御手段と、を備えたこと、を特徴とする電子機器を提供する。
【０００７】
この構成によれば、制御装置から表示装置に対して無線給電を行うとともに画像データを送信し、表示装置において、無線給電された電力を受電するとともに、受電した電力によって画像データに基づく表示の更新を行う。これにより、電源を持たない表示装置において各種画像を表示するとともに任意のタイミングで表示を更新できる。また、表示装置が備える表示パネルは表示保存性を有するので、無線給電を受けていない間も表示状態を維持できる。このため、さらなる小型化・薄型化が可能で、かつ高品質の表示を継続できる電子機器を提供できる。また、別体に構成された制御装置と表示装置とは、有線による接続を全く必要としない。このため、制御装置と表示装置とを各々独立してデザインすることができ、それぞれに小型化・薄型化することが可能である。また、制御装置から表示装置に送信する画像データの構成を変えることで、表示装置における表示形態を変更できるので、制御装置を交換すれば、表示装置における表示形態を変えることができる。特に、制御装置と表示装置とは別体に構成され、有線による接続を必要としないので、制御装置の交換は極めて簡単である。このため、例えば、異なる構成の画像データを送信する複数の制御装置を用意すれば、ユーザが所望の制御装置を選択して表示装置の近傍に置くだけで、表示装置の表示形態を容易に変更でき、興趣性に富む使用法を実現できる。
【０００８】
上記構成において、前記制御装置は、所定時間毎に、前記給電手段による無線給電と前記送信手段による画像データの送信とを行うものとしてもよい。この場合、制御装置から表示装置に対して所定時間毎に無線給電と画像データの送信を行うので、制御装置の消費電力を抑えることができ、表示装置だけでなく制御装置の小型化・薄型化を図ることが可能となり、電子機器全体の小型化を達成できる。
また、前記制御装置は一の送信用アンテナを備え、前記送信手段と前記給電手段とは前記送信用アンテナを介して所定周波数の無線電波を送信することで画像データを送信するとともに無線給電を行い、前記表示装置は一の受信用アンテナを備え、前記受電手段は前記制御装置から送信された無線電波が生じる磁界により前記受信用アンテナに流れる誘導電流から受電し、前記受信手段は、前記受信用アンテナにより無線電波を受信して画像データを取得するものとしてもよい。
この場合、制御装置および表示装置において、各々一つのアンテナを用いて無線給電と画像データの送受信とを行うことができる。これにより、表示装置および制御装置の両方を、より一層の小型化・薄型化が図れる。
また、前記表示装置および前記制御装置は環状の本体を備えたものとしてもよい。この場合、表示装置および制御装置の両方を、より一層の小型化・薄型化ができる。
【０００９】
さらに、前記制御装置は、時刻を計時する計時手段と、この計時手段により計時される時刻を表示するための画像データを生成する画像生成手段とを備え、前記送信手段は、前記画像生成手段によって生成された画像データを送信するものとしてもよい。この場合、表示装置において現在時刻を表示でき、時計としての機能を有する電子機器を、より一層の小型化・薄型化が可能となる。
また、前記制御装置が有する画像生成手段は、前記計時手段により計時される時刻の分が切り替わった場合に、切り替わり後の時および分を表示するための画像データを生成するものとしてもよい。この場合、表示装置に正確な現在時刻を表示させながら、制御装置から表示装置への無線給電と画像データの送信とを１分に１回の頻度まで抑えることが可能となり、制御装置の消費電力をより低く抑えることができる。また、表示装置は表示保存性を有する表示パネルを備えるので、無線給電と画像データの送信と、これに伴う表示装置の画像の更新が低頻度であっても表示が消失せず、高品質の表示状態を維持できる。
【発明の効果】
【００１０】
本発明によれば、表示パネルを備えた表示装置、および、この表示装置を備えた電子機器において、より一層の小型化・薄型化を実現し、かつ、表示を消失させることなく高品質の表示を行うことができる。
【発明を実施するための最良の形態】
【００１１】
以下、図面を参照して本発明の実施の形態について説明する。
図１は、本発明を適用した実施の形態に係る電子機器としての腕時計１の概略構成および使用状態を示す図である。
図１に示すように、腕時計１は、表示装置としての表示ユニット２と制御装置としての計時ユニット１０との組み合わせにより構成される。腕時計１を構成する計時ユニット１０は、時刻を計時するとともに、分毎に、時刻表示画面を表示するための画像データを生成して表示ユニット２へ無線送信する。一方、表示ユニット２は、計時ユニット１０から無線送信された画像データを受信して表示する。表示ユニット２および計時ユニット１０は円環形状の本体を有し、例えば図１に示すように、ユーザの片腕に並べて通される。
図２は、計時ユニット１０の構成を示す外観斜視図である。この図２に示すように、計時ユニット１０は環状の本体１１を有し、この本体１１に形成された中空部（図示略）に、後述する内部回路１２（図７）を収容する。
なお、本実施の形態では計時ユニット１０が円環形状の場合について説明するが、一部が開放された輪、すなわちバングル形状とすることも勿論可能である。また、表示ユニット２および計時ユニット１０の使用形態は、ユーザの片腕に並べて通す態様に限定されず、両腕に分けて装着してもよいし、表示ユニット２と計時ユニット１０との間の無線通信に支障がなければ計時ユニット１０をバッグや衣服のポケット内に収容していてもよい。
【００１２】
図３は、表示ユニット２の構成を示す外観斜視図である。また、図４は、表示ユニット２を図３に示したＰ平面で切り、Ａ−Ａ方向に矢視した一部断端面斜視図である。
これら図３および図４に示すように、表示ユニット２は、表示部２１、フレーム２２、および側部フレーム２３、２４からなる環状の本体を有する。表示部２１は、環状の本体の周面を構成し、内蔵する表示パネル３０の表示が視認可能なように、透明のガラスまたは合成樹脂製により構成される。
図４の断面図に明らかなように、表示ユニット２は、周面を構成する表示部２１と、側縁を構成する側部フレーム２３、２４と、環状の本体の裏面に相当するフレーム２２とからなる本体の内部に、表示パネル３０を収容した構成を有する。
【００１３】
ここで、表示パネル３０の構成について説明する。
図５は表示パネル３０の構成を示す要部断面図であり、図６は要部拡大断面図である。
図５および図６においては、透明電極にのみ斜線を付し、その他の部材については図面が煩雑になるのを避けるため斜線を省略する。
表示パネル３０としては、表示保持性を有する電気泳動表示パネルが適用され、この表示パネル３０により文字および模様を含む各種の画像（以下、単に画像と呼ぶ）が表示される。以下、表示パネル３０をセグメント表示パネルで構成した場合を説明する。
表示パネル３０は、その表面に、透明なガラスまたは合成樹脂からなる表面板３１が配設され、この表面板３１と実装基板となるフレキシブル基板３４との間に、マイクロカプセル３６を挟むように透明共通電極３２およびセグメント電極３５を対向させて配置した構成を有する。
【００１４】
マイクロカプセル３６は、その内部に電気泳動粒子３８が混合された電気泳動分散液３７が封入されている。この電気泳動粒子３８には、例えば、プラス極性に帯電した青粒子が適用され、電気泳動分散液３７が白色に着色されることにより、いわゆる１粒子系の電気泳動層が構成されている。マイクロカプセル３６は、透明共通電極３２とセグメント電極３５との間に層をなすよう面状に多数配置される。そして、このマイクロカプセル３６に接して、各々がセグメント３９に対応するセグメント電極３５が配置されており、後述するディスプレイドライバ５５の動作により、セグメント３９毎に青色または白色が表示される。
【００１５】
一方、透明共通電極３２は、ガラス等からなる透明な基板上にＩＴＯ（Indium-Tin Oxide）蒸着等により形成された透明な電極である。この透明共通電極３２は全てのセグメント３９にまたがる１枚の電極として構成され、フレキシブル基板３４上に設けられた共通電極３３に接続されて、この共通電極３３と同電位に維持される。
そして、共通電極３３およびセグメント３９はディスプレイドライバ５５に接続され、ディスプレイドライバ５５の制御により電位が与えられる。
すなわち、ディスプレイドライバ５５により共通電極３３が０Ｖ電位（アース電位）とされると共に、所定のセグメント電極３５にプラス電圧の駆動電圧が供給されてプラス電位とされた場合、セグメント電極３５から透明共通電極３２に向かう電界が発生し、このセグメント電極３５に接したマイクロカプセル３６において、プラスに帯電した電気泳動粒子（青粒子）３８が透明共通電極３２側に移動し、これに伴って白色の電気泳動分散液３７がセグメント電極３５側に移動する。この結果、透明共通電極３２側から視認されるマイクロカプセル３６が青色を呈するため、セグメント３９は青を表示する。
【００１６】
これとは逆に、ディスプレイドライバ５５により透明共通電極３２がプラス電位とされると共に、所定のセグメント電極３５が０Ｖ電位に保持された場合には、プラスに帯電した電気泳動粒子３８がセグメント電極３５側に移動し、これに伴って、白色の電気泳動分散液３７が透明共通電極３２側に移動するため、結果として、透明基板３３側から視認されるマイクロカプセル３６が白色を呈し、セグメントが白を表示する。
また、透明共通電極３２とセグメント電極３５との間に電位差を生じない場合には、電気泳動粒子３８の移動が生じないため、セグメントの表示色は変化せずに以前の状態が維持される。
なお、本実施の形態では、ディスプレイドライバ５５が昇圧回路を内蔵し、電源から供給される電圧（例えば３Ｖや１．５Ｖ）を昇圧して＋１２Ｖの電圧を生成して、この＋１２Ｖの電圧、或いは、０Ｖの電圧を駆動電圧としてセグメント電極３５および透明共通電極３２に印加している。
【００１７】
図７は、計時ユニット１０が内蔵する内部回路１２、および、表示ユニット２の内部回路５０の機能的構成を示すブロック図である。
図７に示すように、内部回路１２は、各部を制御するコントローラ１３、送信用アンテナとしてのアンテナ１４、アンテナ１４を介して表示ユニット２へ電波を送信する給電手段および送信手段としての通信部１５、内部回路１２の各部に電力を供給する電源部１６、ユーザの操作を受け付ける操作部１７、および、発振器（図示略）が生成する発振信号に基づいて計時を行い、時刻情報をコントローラ１３に出力する計時部１８を備えている。これら内部回路１２を構成する各部は、本体１１内に収容される。
【００１８】
コントローラ１３は、計時部１８から入力される時刻情報に基づき現在時刻を検出し、この現在時刻を表示ユニット２によって表示するための画像データを生成して、通信部１５に出力する。そして、コントローラ１３は通信部１５を制御して、画像データをアンテナ１４から送信させる。
通信部１５は、電源部１６から供給される電力をもとに、コントローラ１３から入力される画像データを変調して無線信号を生成し、この無線信号をアンテナ１４から送信する。ここで通信部１５は、例えば１３．５６ＭＨｚ帯の電波を送信し、この電波により、内部回路５０が有するアンテナ５２において外部磁界の変化が生じ、電磁誘導作用によって誘導電流が誘起される。すなわち、計時ユニット１０は、アンテナ１４から電波を送信することで、表示ユニット２に対する無線給電を行う。
【００１９】
電源部１６は、リチウム電池等の一次電池、リチウムイオン電池やキャパシタ等の二次電池を備え、コントローラ１３および通信部１５を含む各部に電力を供給する。この電源部１６として、上記二次電池を充電し、或いは、電源部１６として直接給電を行う発電装置を設けてもよい。この発電機構としては、例えば、本体１１内に回転錘を設け、この回転錘を、ユーザの腕振り等の運動エネルギーで旋回させて発電する自動巻式発電装置、上記回転錘を竜頭等で巻き上げ可能なゼンマイの力で旋回させて発電するゼンマイ式発電装置、ある部位と他の部位との温度差（熱エネルギー）で発電する熱発電装置、又は、ソーラ発電装置等の発電装置を広く用いることができる。
操作部１７は、本体１１（図２）に設けられたボタン（図示略）等の操作子に接続され、この操作子の操作を検出してコントローラ１３に検出信号を出力する。操作部１７に接続される操作子は、例えば時刻合わせのために操作され、この場合、コントローラ１３は、操作部１７から入力される検出信号に基づいて計時部１８を制御し、現在時刻を修正する。
【００２０】
一方、表示ユニット２が内蔵する内部回路５０は、表示制御手段としてのコントローラ５１と、受信用アンテナとしてのアンテナ５２と、アンテナ５２を介して内部回路１２から送信された無線信号を受信する受電手段および受信手段としての通信部５３と、アンテナ５２に流れる誘導電流をもとにコントローラ５１およびディスプレイドライバ５５へ電力を供給する電源供給部５４と、コントローラ５１の制御に従って表示パネル３０を駆動するディスプレイドライバ５５とを備える。これら内部回路５０を構成する各部は、表示ユニット２のフレーム内部に収容される。なお、図７には、理解の便宜のために内部回路５０とともに表示パネル３０を図示する。
【００２１】
アンテナ５２は、例えばループアンテナとして構成され、通信部５３および電源供給部５４が接続される。ここで、アンテナ５２の形状およびサイズは任意であるが、計時ユニット１０のアンテナ１４が生じた磁界により誘導電流が誘起しやすく、かつ、アンテナ１４から送信された信号を確実に受信できるものが好ましい。アンテナ５２の具体的な例としては、１ターンまたは複数ターンの輪をなすループコイルとして、表示ユニット２の本体内に、側部フレーム２３または側部フレーム２４の内側に沿って設ける構成が挙げられる。このループコイルは、側部フレーム２３、２４のうち、計時ユニット１０に接近する側の側部フレームに沿って設けてもよく、両方の側部フレームに沿うように２本のループアンテナを設けてもよい。
【００２２】
通信部５３は、計時ユニット１０から送信された無線信号を、アンテナ５２を介して受信して復調し、コントローラ５１に出力する。また、この通信部５３には、電源供給部５４が接続される。電源供給部５４は、計時ユニット１０が送信した電波が生じる磁界の変化によりアンテナ５２に流れる誘導電流をもとに、コントローラ５１、通信部５３、およびディスプレイドライバ５５に電源を供給する。すなわち、内部回路５０は、計時ユニット１０から無線給電された電力を、アンテナ５２を介して受電する。
コントローラ５１は、電源供給部５４からの電源供給により動作し、通信部５３から入力される信号を解析して、表示パネル３０に画像を表示するための表示情報を生成し、ディスプレイドライバ５５に出力する。この表示情報は、例えば、表示パネル３０が有する各セグメント３９を座標で表し、座標毎に色（青または白）を指定する情報である。
ディスプレイドライバ５５は、上述したように、表示パネル３０の共通電極３３およびセグメント電極３５に電圧を印加することにより、各セグメント３９に青または白を呈色させて、表示パネル３０に画像を表示させる回路である。ディスプレイドライバ５５は、コントローラ５１から入力される表示情報に基づき、各々のセグメント３９が青か白かを決定し、決定した呈色を実現すべく共通電極３３およびセグメント電極３５に電圧を印加する。
【００２３】
表示パネル３０は、上述のように表示保持性を有する電気泳動パネルであるから、ディスプレイドライバ５５が共通電極３３、セグメント電極３５に電圧を印加した後は、電圧の印加が停止しても表示状態が保持される。この表示状態を保持できる時間は、表示パネル３０の特性により変化するが、電気泳動パネルの場合は少なくとも１０分〜１時間を超える時間が確保される。このため、１０分に１回またはそれ以上の頻度で再びディスプレイドライバ５５から共通電極３３、セグメント電極３５に電圧を印加すれば、表示パネル３０の表示が消失しない状態を確実に保つことができる。この特性を利用して、腕時計１は、以下に述べるように表示パネル３０の表示を更新する。
【００２４】
図８は、腕時計１の動作を示すシーケンス図である。
計時ユニット１０においては、計時部１８による計時動作が常時実行され（ステップＳ１１）、コントローラ１３は、例えば１秒毎に計時部１８から入力される現在時刻を取得し、分が更新されるタイミングを監視する（ステップＳ１２）。ここで、現在時刻の秒の位がゼロとなって分が更新されると（ステップＳ１２；Ｙｅｓ）、コントローラ１３は、更新された時分を表示するための画像データを生成する（ステップＳ１３）。ここで生成される画像データは、予めコントローラ１３が記憶していた所定のフォーマットに、現在の時および分を当てはめたものである。そして、コントローラ１３は、生成した画像データを、通信部１５によって表示ユニット２へ送信させる。
【００２５】
表示ユニット２の内部回路５０は、アンテナ５２によって計時ユニット１０からの無線信号を受信するまで待機する（ステップＳ２１）。内部回路５０はアンテナ５２に流れる誘導電流によって動作するので、計時ユニット１０が無線信号を送信しない限り動作しない。このため、ステップＳ２１では、実質的に内部回路５０が停止状態にある。
そして、計時ユニット１０から画像データを含む無線信号が送信されると、アンテナ５２に誘導電流が流れて内部回路５０の各部が動作を開始し（ステップＳ２１；Ｙｅｓ）、画像データを受信して表示パネル３０の表示を更新する（ステップＳ２２）。このステップＳ２２では、通信部５３により復調された画像データがコントローラ５１に入力され、コントローラ５１が表示情報を生成してディスプレイドライバ５５に出力し、ディスプレイドライバ５５が、共通電極３３およびセグメント電極３５に電圧を印加することで、各セグメント３９の呈色を変化させる。
【００２６】
この図８に示す動作では、１分間に１回、計時ユニット１０から画像データが送信され、表示ユニット２に表示される画像が更新される。従って、表示パネル３０が１分以上の表示保存機能を有するものであれば、表示ユニット２は常に正しい時分を表示する装置として機能する。
ここで、表示部２１における表示例を図９に示す。
図９（Ａ）には、表示部２１に、現在時刻の時と分が、２４時間制でデジタル表示されている。この図９（Ａ）に示す表示フォーマット（フォント、サイズ、色、表示位置等）は、予めコントローラ１３に記憶されており、コントローラ１３が現在時刻を表示フォーマットに適合させることで画像データが生成される。
つまり、内部回路５０は計時ユニット１０から送信される画像データを受信し、表示する機能のみを有するものであり、画像データの内容について制限しない。このため、計時ユニット１０を、別の表示フォーマットが設定されたコントローラ１３を有する計時ユニット１０に交換すれば、表示部２１における表示形態を変えることができる。例えば、図９（Ｂ）に示すように、時針および分針からなるアナログ表示を模した画像を表示することもできる。
【００２７】
以上のように、本発明を適用した実施の形態に係る腕時計１によれば、計時ユニット１０から表示ユニット２に対して無線給電を行うとともに、画像データを送信し、表示ユニット２は、無線給電された電力により、送信された画像データに基づいて画像を更新する。このため、表示ユニット２に電池等の電源を設ける必要がないので、表示ユニット２を容易に小型化・薄型化できる。また、表示ユニット２が備える表示パネル３０は表示保存性を有するので、計時ユニット１０からの給電および画像データの送信の頻度が低くても表示が消失せず、高品質の表示状態を維持できる。特に、表示パネル３０を電気泳動表示パネルで構成することで、より長い表示保持能力を確保できる。このため、計時ユニット１０からの給電の頻度を抑えることで計時ユニット１０の消費電力を抑えることができ、計時ユニット１０の小型化・薄型化をも達成できる。
また、計時ユニット１０からの無線給電および画像データの送信はアンテナ１４からの電波の送信により行われ、表示ユニット２は、アンテナ５２によって電波を受信することで、受電と、画像データの受信とを行う。このため、表示ユニット２および計時ユニット１０は、いずれも少なくとも一のアンテナを備えていればよく、より一層の小型化・薄型化を図れる。
【００２８】
さらに、表示ユニット２は環状の本体を備え、この本体に内部回路５０を収容するとともに、本体の周面に表示パネル３０が配置される。このため、小型化・薄型化された本体において十分な表示領域を確保できる。また、計時ユニット１０を環状の本体１１に内部回路１２の各部を収容した形態とすることで、計時ユニット１０の小型化を達成できる上、図１に示すように、表示ユニット２と計時ユニット１０とを並べて腕に通すといった使用法を実現できる。
また、表示ユニット２は計時ユニット１０から送信される画像データを受信し、表示する機能のみを有するものであるから、計時ユニット１０を、別の表示フォーマットが設定されたコントローラ１３を有する計時ユニット１０に交換すれば、表示部２１における表示形態を変えることができる。これにより、表示ユニット２の交換や設定操作等を行わずに表示ユニット２の画面構成等を変えることができるので、興趣性に富む使用法を実現できる。
【００２９】
さらに、計時ユニット１０は、時刻を計時するとともに、時刻の分が切り替わった場合に、切り替わり後の時および分を表示するための画像データを生成して表示ユニット２へ送信する。このため、表示ユニット２においては常に正確な時刻を表示でき、計時ユニット１０においては無線給電と画像データの送信とを１分に１回の頻度まで抑えて消費電力をより低く抑えることができ、電池寿命の延長をも図ることができる。
【００３０】
なお、上記実施の形態においては、計時ユニット１０から表示ユニット２に対して１３．５６ＭＨｚ帯の電波を送信し、電磁誘導作用による無線給電と画像データの送信とを行う構成としたが、本発明はこれに限定されず、計時ユニット１０から表示ユニット２へ２．４５ＧＨｚ帯のマイクロ波を送信する構成としてもよい。この場合、アンテナ１４およびアンテナ５２をマイクロ波の送受信に適した形状およびサイズにすれば、より確実な無線給電および画像データの送受信が行える。また、内部回路１２は、計時部１８による計時を行うとともに、タイムコードが重畳された電波を受信してタイムコードに基づき時刻を補正する電波時計の機能を持たせたものであってもよい。
また、上述した実施の形態では、表示保持性を有する表示パネル３０として、１粒子系の電気泳動表示パネルを適用する場合について例示したが、これに限らず、２粒子系等の電気泳動表示パネル、ツイストボール方式の表示パネル、エレクトロクロミック表示パネル、強誘電液晶パネル等の表示保持性を有する表示パネルを広く適用可能である。また、表示方式もセグメント方式に限らず、ドットマトリックス方式を適用してもよい。また、上記実施の形態では、表示部２１にデジタル時計やアナログ時計を模した画像を表示する場合を例示したが、これに限らず、年、月、曜日等の他の暦情報、アナログ指針が指し示す目盛り、計時ユニット１０におけるバッテリー残量、方位、高度、水深、位置、温度、湿度、気圧、背景（キャラクタ表示も含む）や模様等の画像を表示するようにしてもよい。
【００３１】
また、本発明を、時計に限らず、表示パネルとアナログ指針とを備える複合表示方式の電子機器に広く適用してもよい。この場合、表示パネル上に、アナログ指針と重ならないように種々の表示を行うようにしてもよい。例えば車載用パネルメータであれば、速度や回転数を表示パネルに表示し、各種測定器であれば測定対象名や単位等を表示パネルに表示すればよい。また、本発明は、上記電子機器を構成する電子部品として適用することも可能である。
【図面の簡単な説明】
【００３２】
【図１】実施の形態に係る腕時計の概略構成および使用状態を示す図である。
【図２】計時ユニットの構成を示す外観斜視図である。
【図３】表示ユニットの構成を示す外観斜視図である。
【図４】表示ユニットの一部断端面斜視図である。
【図５】表示パネルの構成を示す要部断面図である。
【図６】表示パネルの構成を示す要部拡大断面図である
【図７】表示ユニットおよび計時ユニットの機能的構成を示すブロック図である。
【図８】腕時計の動作を示すシーケンス図である。
【図９】表示ユニットにおける表示例を示す図である。
【符号の説明】
【００３３】
１…腕時計（電子機器）、２…表示ユニット（表示装置）、１０…計時ユニット（制御装置）、１１…本体、１３…コントローラ、１４…アンテナ（送信用アンテナ）、１５…通信部（給電手段、送信手段）、１６…電源部、１８…計時部（計時手段）、２１…表示部、２２…フレーム、２３、２４…側部フレーム、３０…表示パネル、３９…セグメント、５１…コントローラ（表示制御手段）、５２…アンテナ（受信用アンテナ）、５３…通信部（受電手段、受信手段）。
【図１】
2007256063.tif 000003
【図２】
2007256063.tif 000004
【図３】
2007256063.tif 000005
【図４】
2007256063.tif 000006
【図５】
2007256063.tif 000007
【図６】
2007256063.tif 000008
【図７】
2007256063.tif 000009
【図８】
2007256063.tif 000010
【図９】
2007256063.tif 000011